(57)【要約】【課題】  画像記録装置において用紙カセットの未装着を検出し、用紙の搬送ジャムを防止する。【解決手段】  画像記録装置３１に装着される多段トレイ３２ａにカセット検出部４１を設け、多段トレイ３２ａの上部に装着される用紙カセット２に凸部４０を設ける。カセット検出部４１は光検出器４４と回転可能なレバー４６で構成され、用紙カセット２が所定の位置に正しく装着されると凸部４０によりレバー４６が押され、これを光検出器４４が検出することにより用紙カセット２の装着が検出され、この場合に給紙動作が行われる。【選択図】  図１
2006124058.tif 000002
【特許請求の範囲】
【請求項１】
複数の用紙カセットを装着可能で、装着された用紙カセットから用紙を処理部へ搬送する用紙搬送路を有する媒体処理装置において、
一の用紙カセットが装着された場合に、該一の用紙カセットから前記処理部に到る用紙搬送路の一部を構成する他の用紙カセットの装着を検出する検出手段を設けたことを特徴とする媒体処理装置。
【請求項２】
前記一の用紙カセットは着脱可能な用紙トレイに装着され、
前記検出手段は、前記用紙トレイに設けられる請求項１記載の媒体処理装置。
【請求項３】
前記検出手段は、前記他の用紙カセットの所定の位置への移動及び該所定の位置からの移動に応じて回転するレバーと、該レバーの位置を検知する光検知器を含む請求項２記載の媒体処理装置。
【請求項４】
複数の用紙カセットを装着可能で、装着された用紙カセットから用紙を処理部へ搬送する用紙搬送路を有する媒体処理装置において、
一の用紙カセットが装着された場合に、該一の用紙カセットから前記処理部に到る用紙搬送路の一部を構成する他の用紙カセットの装着を検出するとともに、前記一の用紙カセットが所定の位置に装着されたことを検出する検出手段を設けたことを特徴とする媒体処理装置。
【請求項５】
前記検出手段は、前記他の用紙カセットの所定の位置への移動及び該所定の位置からの移動に応じて回転する第１のレバーと、前記一の用紙カセットの所定の位置への移動及び該所定の位置からの移動に応じて回転する第２のレバーと、前記第１のレバーの位置及び前記第２のレバーの位置を検知する光検知器を含む請求項４記載の媒体処理装置。
【請求項６】
前記検出手段は、前記他の用紙カセットの所定の位置への移動及び該所定の位置からの移動、および前記一の用紙カセットの所定の位置への移動及び該所定の位置からの移動に応じて回転するレバーと、該レバーの位置を検知する光検知器を含む請求項４記載の媒体処理装置。
【請求項７】
複数の用紙カセットを装着可能で、装着された用紙カセットから用紙を処理部へ搬送する用紙搬送路を有する媒体処理装置において、
互いに取り外し可能で積層状態に装着され、それぞれ用紙カセットを装着可能な複数のカセット装着部を有し、
積層状態における各カセット装着部を貫通する貫通孔を形成し、
前記貫通孔に対して光を照射し反射した光を受光する光検知器と、
各カセット装着部において用紙カセットが所定の位置に装着されていないときは前記貫通孔を塞ぎ、所定の位置に装着されているときは前記貫通孔を開ける第１のスライド部材とを設けたことを特徴とする媒体処理装置。
【請求項８】
前記第１のスライド部材は非反射板で形成される請求項７記載の媒体処理装置。
【請求項９】
前記光検知器は各カセット装着部の装着を検出するカセット装着部検出手段を構成する請求項７記載の媒体処理装置。
【請求項１０】
前記カセット装着部検出手段は、各カセット装着部に設けられ前記貫通孔に対して移動可能に形成された第２のスライド部材と、カセット装着部に形成されカセット装着部を互いに装着することにより前記第２のスライド部材を前記貫通孔を塞いだ状態から開いた状態に移動させる突起部とを有する請求項９記載の媒体処理装置。
【請求項１１】
前記第２のスライド部材は光を反射する性質を有する請求項１０記載の媒体処理装置。
【請求項１２】
媒体処理装置に装着され、用紙カセットが装着可能なカセット装着部を有し、用紙を媒体処理装置の用紙搬送路に供給する給紙装置において、
装着された用紙カセットから前記用紙搬送路の一部を構成する他の用紙カセットの装着を検出する検出手段を設けたことを特徴とする給紙装置。
【請求項１３】
前記検出手段は、前記他の用紙カセットと自身に装着された用紙カセットの相互の位置が所定の位置関係にあるか否かを検出する請求項１２記載の給紙装置。
【発明の詳細な説明】
【技術分野】
【０００１】
本発明は、画像を印刷する画像記録装置等の媒体処理装置及び該媒体処理装置に使用される給紙装置に関する。
【背景技術】
【０００２】
一般に、プリンタや複写機等の画像記録装置等の媒体処理装置においては、画像が記録される用紙は用紙カセットに収納されている。用紙カセットは装置に対して着脱可能になっており、用紙の補充を容易に行なえるようになっている。図２７に従来の画像記録装置の概略構成を示す。
【０００３】
図２７において、画像記録装置１には、用紙９を画像記録装置１に供給する用紙カセット２、用紙カセット２から用紙９を１枚ずつ繰出す給紙ローラ３、給紙された用紙９を搬送する搬送ローラ４、用紙上に画像を形成する画像形成ユニット５、画像を用紙上に定着させる定着ユニット６、画像が定着された用紙を排出する排出ローラ７およびこれらの各部に用紙を搬送するための用紙搬送路８が設けられている。
【０００４】
用紙カセット２に装填された用紙９は給紙ローラ３およびセパレータ１０により１枚ずつ繰出され、搬送ローラ４により画像形成ユニット５へ搬送される。画像形成ユニット５では記録データに基づいてトナー画像が形成され、転写ローラ１１により用紙９上にトナー画像が転写される。トナー画像が転写された用紙９は、定着ユニット６へ搬送され、トナー画像が用紙９上に定着される。その後用紙９は排出ローラ７により装置１上部の排出部へ排出される。
【０００５】
用紙カセット２は、用紙９の補充またはジャム用紙の除去の必要のために、装置１に対して着脱可能となっている。用紙の補充またはジャム用紙の除去を行った後、用紙カセット２が再び装着されたか否かを装置１が知るために、従来、用紙カセットの装着を検出する検出センサを設けていた。その一例として、例えば、特開平７−１９６２０３号公報に開示されるものが挙げられる。
【特許文献１】特開平７−１９６２０３号公報
【発明の開示】
【発明が解決しようとする課題】
【０００６】
また従来、用紙の補充を頻繁に行なう必要が無いように、またサイズの異なる用紙の入れ替えをなくすために、複数の用紙カセットを多段階に装着可能な多段トレイを付属品として具備可能な装置も開発されている。多段トレイはユーザのニーズに合わせて必要な数の用紙カセットを装着することができ、大容量の用紙またはサイズの異なる用紙のセットが可能になる。
【０００７】
図２８は従来の多段トレイを備えた画像記録装置を示す概略側面図である。図２８において、画像記録装置２１には用紙９を画像記録装置１に供給する用紙カセット２、用紙カセット２から用紙９を１枚ずつ繰出す給紙ローラ３、給紙された用紙９を搬送する搬送ローラ４、用紙上に画像を形成する画像形成ユニット５、画像を用紙上に定着させる定着ユニット６、画像が定着された用紙を排出する排出ローラ７およびこれらの各部に用紙を搬送するための用紙搬送路８が設けられている。用紙カセット２の前部には用紙搬送路２７が形成されいる。
【０００８】
さらに画像記録装置２１の下部には多段トレイ２２ａが装着され、多段トレイ２２ａの下部には多段トレイ２２ｂが装着され、多段トレイ２２ｂの下部には多段トレイ２２ｃが装着され、多段トレイ２２ｃの下部には多段トレイ２２ｄが装着されている。多段トレイ２２は順次継ぎ足し可能である。各多段トレイ２２の構成は同様であり、多段トレイ２２ａを例にその構成を説明する。
【０００９】
多段トレイ２２ａには、用紙９を収容する用紙カセット２３ａ、用紙９を繰出す給紙ローラ２４ａ、繰出された用紙９を搬送する搬送ローラ２５ａが設けられている。用紙カセット２３ａは多段トレイ２２ａに対して着脱可能であり、用紙カセット２３ａには繰出される用紙９を１枚に分離するためのセパレータ２６ａと下部の多段トレイ２２ｂ〜２２ｄから給紙される用紙を画像記録装置２１まで搬送可能にするための用紙搬送路２７ａが形成されている。
【００１０】
例えば下から２段目の多段トレイ２２ｃから用紙９を給紙する場合は、搬送ローラ２４ｃおよびセパレータ２６ｃにより繰出された用紙９は、搬送ローラ２５ｃにより、その上の多段トレイ２２ｂの用紙カセット２３ｂに形成されている用紙搬送路２７ｂを搬送され、さらに多段トレイ２２ｂの搬送ローラ２５ｂにより、さらにその上の多段トレイ２２ａの用紙カセット２３ａに形成されている用紙搬送路２７ａを搬送される。そして搬送ローラ２５ａにより画像記録装置２１の用紙カセット２に形成されている用紙搬送路２７を搬送されて搬送路８へ導かれる。
【００１１】
このような装置２１の場合、各多段トレイ２２ａ〜２２ｄに装着されている用紙カセット２３ａ〜２３ｄにそれぞれ用紙搬送路２７ａ〜２７ｄが形成されているので、用紙カセット２３ａ〜２３ｄを多段トレイ２２ａ〜２２ｄに装着する際、用紙カセット２３ａ〜２３ｄがきちんと奥まで装着されていないと、その用紙カセット２３ａ〜２３ｄの用紙搬送路２７ａ〜２７ｄがその上下の用紙カセット２３ａ〜２３ｄの用紙搬送路２７ａ〜２７ｄと位置がずれる。用紙搬送路２７ａ〜２７ｄの位置がずれると、用紙の搬送ジャムが発生しやすくなる。
【００１２】
また用紙カセット２３ａ〜２３ｄがきちんと奥まで装着されていないと、用紙カセット２３ａ〜２３ｄに設けられているセパレータ２６ａ〜２６ｄと多段トレイ２２ａ〜２２ｄに設けられている給紙ローラ２４ａ〜２４ｄとの圧接力が弱くなり、１枚ずつの分離が十分できなくなり、用紙の重送または不送り等の不具合が発生するという問題があった。
【課題を解決するための手段】
【００１３】
本発明は、複数の用紙カセットを装着可能で、装着された用紙カセットから用紙を処理部へ搬送する用紙搬送路を有する媒体処理装置において、一の用紙カセットが装着された場合に、該一の用紙カセットから処理部に到る用紙搬送路の一部を構成する他の用紙カセットの装着を検出する検出手段を設けたことを特徴とするものである。
【００１４】
一の用紙カセットは着脱可能な用紙トレイに装着され、検出手段は、用紙トレイに設けられるようにする。
【００１５】
また本発明は、複数の用紙カセットを装着可能で、装着された用紙カセットから用紙を処理部へ搬送する用紙搬送路を有する媒体処理装置において、一の用紙カセットが装着された場合に、該一の用紙カセットから処理部に到る用紙搬送路の一部を構成する他の用紙カセットの装着を検出すると共に、一の用紙カセットが所定の位置に装着されたことを検出する検出手段を設けたことを特徴とする。
【００１６】
この場合、検出手段は、他の用紙カセットの所定の位置への移動及び該所定の位置からの移動に応じて回転する第１のレバーと、前記一の用紙カセットの所定の位置への移動及び該所定の位置からの移動に応じて回転する第２のレバーと、前記第１のレバーの位置及び前記第２のレバーの位置を検知する光検知器を含むものとする。
【００１７】
または検出手段は、前記他の用紙カセットの所定の位置への移動及び該所定の位置からの移動、および前記一の用紙カセットの所定の位置への移動及び該所定の位置からの移動に応じて回転するレバーと、該レバーの位置を検知する光検知器を含むものとする。
【００１８】
また本発明は、複数の用紙カセットを装着可能で、装着された用紙カセットから用紙を処理部へ搬送する用紙搬送路を有する媒体処理装置において、互いに取り外し可能で積層状態に装着される複数のカセット装着部を有し、積層状態における各カセット装着部を貫通する貫通孔を形成し、貫通孔に対して光を照射し反射した光を受光する光検知器と、各カセット装着部において用紙カセットが所定の位置に装着されていないときは貫通孔を塞ぎ、所定の位置に装着されているときは貫通孔を開ける第１のスライド部材とを設けたことを特徴とする。
【発明の効果】
【００１９】
上記構成の本発明によれば、用紙搬送路の一部を構成する他の用紙カセットが装着されたことを検出する検出手段を設けたので、他の用紙カセットが所定の位置まで装着されていない場合には用紙の搬送を停止することが可能になる。
【００２０】
また、一の用紙カセットが所定の位置に装着されたこと、および用紙搬送路の一部を構成する他の用紙カセットが装着されたことを検出する検出手段を設けたことにより、複数の用紙カセットのいずれかが未装着の場合に用紙の搬送を停止することが可能になり、用紙搬送路における用紙のジャムの発生を防止することができる。
【００２１】
さらに、積層状態における各カセット装着部を貫通する貫通孔を形成し、貫通孔に対して光を照射し反射した光を受光する光検知器と、各カセット装着部において用紙カセットが所定の位置に装着されていないときは貫通孔を塞ぎ、所定の位置に装着されているときは貫通孔を開ける第１のスライド部材とを設けたことにより、多数の用紙カセットのいずれかが未装着の場合に用紙の搬送を停止することが可能になる。
【発明を実施するための最良の形態】
【００２２】
以下、本発明を実施するための形態を図面に従って説明する。なお以下の説明では媒体処理装置として画像記録装置を例に説明する。図１は本発明の第１実施の形態の画像記録装置を示す構成図である。図１において、画像記録装置３１には、用紙９を画像記録装置１に供給する用紙カセット２、用紙カセット２から用紙９を１枚ずつ繰出す給紙ローラ３、給紙された用紙９の斜行を矯正するとともに画像形成ユニット５へ用紙９を搬送する搬送ローラ４、感光ドラム５ａ上に画像を形成し、形成した画像を転写ローラ１１により用紙上に転写する画像形成ユニット５、ヒートローラ６ａと加圧ローラ６ｂから構成され画像を用紙上に定着させる定着ユニット６、画像が定着された用紙を排出する排出ローラ７およびこれらの各部に用紙を搬送するための用紙搬送路８が設けられている。
【００２３】
用紙カセット２には用紙積載台２８が回動可能に設けられ、この上に用紙９が積層されている。用紙積載台２８の下部にはスプリング２９が配設され、このスプリング２９により最上部の用紙９が給紙ローラ３に圧接している。また給紙ローラ３に圧接するようにセパレータ１０が設けられ、用紙９が重なって搬送されないように用紙９を１枚ずつ分離する。また用紙カセット２の前部には用紙搬送路２７が形成されており、以下に説明する多段トレイから搬送されてくる用紙を画像記録装置３１の搬送路８へ送り出せるようになっている。さらに用紙カセット２の奥側には、凸部４０が形成されている。
【００２４】
画像記録装置３１の下部には用紙カセット装着部としての多段トレイ３２ａが装着されている。なおこの多段トレイ３２ａの下部にもさらに多段トレイを追加装着することが可能である。多段トレイ３２ａには、用紙９を収容する用紙カセット３３ａ、用紙９を繰出す給紙ローラ３４ａ、繰出された用紙９を搬送する搬送ローラ３５ａが設けられている。
【００２５】
用紙カセット３３ａは多段トレイ３２ａに対して着脱可能であり、用紙カセット３３ａには繰出される用紙９を１枚に分離するためのセパレータ３６ａと、用紙９が積載される用紙積載台３７ａと、用紙積載台３７ａを下側から押圧するスプリング３８ａ、および下部に多段トレイが装着された場合にこの多段トレイから給紙される用紙を上部へ搬送するための用紙搬送路３９ａが形成されている。
【００２６】
また多段トレイ３２ａには用紙カセット２の装着を検出するためのカセット検出部４１が設けられている。図２にこのカセット検出部を示す。また図３は用紙カセットおよび多段トレイを示す平面図である。
【００２７】
図１、図２、図３において、カセット検出部４１は、発光素子４２と受光素子４３から構成される光検出器４４と、支点４５を中心に回転可能なレバー４６とから構成される。レバー４６は逆Ｌ字形をしており、上端部４６ａと側端部４６ｂを有する。レバー４６はトーションスプリング４７により常に図１における時計回り方向に付勢されており、ストッパ４８により図１における破線の位置まで付勢している。
【００２８】
レバー４６の上端部４６ａは用紙カセット２の装着位置に突出するように形成されており、用紙カセット２が所定の位置まで装着された状態では凸部４０に押されて図１に実線で示す状態になる。この状態で、レバー４６の側端部４６ｂは光検出器４４の発光素子４２と受光素子４３との間から抜け出る。用紙カセット２がこの所定の位置から引き抜かれた状態では、図１に破線で示すように、レバー４６の上端部４６ａは用紙カセット２の装着位置に突出しており、側端部４６ｂは光検出器４４の発光素子４２と受光素子４３との間に位置し、発光素子４２から発せられる光を遮断している。
【００２９】
図４は第１の実施の形態の要部のブロック図である。図４において、制御部５１は画像記録装置３１の動作全体を制御するもので、ＣＰＵとその周辺回路により構成される。制御部５１には給紙駆動部５２および光検出器４４が接続されている。給紙駆動部５２は、図示しないモータを介して給紙ローラ３または多段トレイ３２ａの給紙ローラ３４ａの駆動を制御する。
【００３０】
光検出器４４は受光素子４３の受光出力を制御部５１へ送る。制御部５１では、受光素子４３が発光素子４２からの光を受光しないときの出力信号をオン信号とし、受光素子４３が発光素子４２からの光を受光するときの出力信号をオフ信号とする。
【００３１】
次に第１の実施の形態の動作をさらに図５を用いて説明する。図５は第１の実施の形態の動作を示す概略構成図である。画像記録装置３１内に用紙カセット２が所定の位置に装着されている場合、即ち、図１に示すように、用紙カセット２が最も奥側まで挿入され、用紙搬送路２７が下側の多段トレイ３２ａから給紙される用紙９を搬送可能になっている位置に装着されている場合、カセット検出器４１のレバー４６は用紙カセット２の凸部４０に押され、図１に実線で示す状態になる。
【００３２】
この状態ではレバー４６の側端部４６ｂは光検出器４４の発光素子４２からの光を遮断せず、光検出器４４から制御部５１にオフ信号が出力される。制御部５１ではこの信号により用紙カセット２が所定の位置に装着されていると判断し、用紙カセット２からの給紙を行うことができる。
【００３３】
次に用紙カセット２に用紙９を補充する等のために、用紙カセット２が、図５に示すように、所定の位置から抜き出された場合、図５に実線で示すように、カセット検出器４１のレバー４６は用紙カセット２の凸部４０に押されていない状態になる。この状態では、レバー４６の側端部４６ｂは光検出器４４の発光素子４２からの光を遮断し、光検出器４４から制御部５１にオン信号が出力される。制御部５１ではこのオン信号により用紙カセット２が所定の位置に装着されていないと判断し、給紙駆動部５２へ駆動信号を出力しない。
【００３４】
抜き出した用紙カセット２に用紙９をセットして画像記録装置３１に用紙カセット２を挿入し、さらに奥側へ押し込むと、用紙カセット２の凸部４０が、トーションスプリング４７により図５で実線の位置にあるレバー４６の上端部４６ａを押し倒す。これによりレバー４６は図５における反時計回り方向に回転し、破線で示す状態になる。これによりレバー４６の側端部４６ｂは光検出器４４の発光素子４２からの光を遮断せず、光検出器４４から制御部５１にオフ信号が出力される。制御部５１ではこの信号により用紙カセット２が所定の位置に装着されていると判断する。
【００３５】
用紙カセット２が所定の位置に正しく装着されたことが検出されると、制御部５１は給紙駆動部５２への出力の制限が解除される。多段トレイ３２ａに収納する用紙９への記録動作の起動が制御部５１からかかると、多段トレイ３２ａの給紙ローラ３４ａが駆動され、用紙カセット３３ａから用紙９が繰出され、搬送ローラ３５ａにより用紙カセット２内の用紙搬送路２７を搬送され、画像形成ユニット５方向へ送られる。これ以降、記録動作が行われ、記録動作終了後、用紙９は排出される。
【００３６】
上述の例では多段トレイ３２ａを１つだけ設けた場合を説明したが、これに限らず多段トレイを複数個設けた場合でも、各多段トレイにカセット検出部を設けることにより、各多段トレイの直上の用紙カセットが所定の位置に装着された場合にのみ給紙動作を行うようにすることができる。
【００３７】
以上のように第１の実施の形態によれば、多段トレイ３２ａの用紙カセット３３ａから見ると被装着側の用紙カセット２を検出するカセット検出部４１により、その多段トレイ３２ａの上に装着される用紙カセット２が所定の位置に装着されたか否かを検出することができ、用紙カセット２の用紙搬送路２７と多段トレイ３２ａの搬送位置とずれがある場合は給紙しないようにしたので、用紙の搬送ジャムの発生および用紙の重送等の不具合を防止することが可能になる。
【００３８】
次に本発明の第２の実施の形態を説明する。図６は第２の実施の形態の画像記録装置を示す概略構成図である。第２の実施の形態は、第１の実施の形態に対して主にカセット検出部が異なる。したがって以下の説明はカセット検出部を中心に説明する。
【００３９】
図６において、画像記録装置６１には用紙９を収納する用紙カセット２が装着され、用紙カセット２には用紙搬送路２７および凸部４０が形成されている。画像記録装置６１の下部には用紙カセット装着部としての多段トレイ６２ａが装着されている。なおこの多段トレイ６２ａの下部にもさらに多段トレイを追加装着することが可能である。多段トレイ６２ａには、用紙９を収容する用紙カセット６３ａ、用紙９を繰出す給紙ローラ６４ａ、繰出された用紙９を搬送する搬送ローラ６５ａが設けられている。
【００４０】
用紙カセット６３ａは多段トレイ６２ａに対して着脱可能であり、用紙カセット６３ａには繰出される用紙９を１枚に分離するためのセパレータ６６ａと、用紙９が積載される用紙積載台６７ａと、用紙積載台６７ａを下側から押圧するスプリング６８ａ、下部に多段トレイが装着された場合にこの多段トレイから給紙される用紙を上部へ搬送するための用紙搬送路６９ａ、および該用紙カセット６３ａの所定の位置への装着を検出するための凸部８０が形成されている。
【００４１】
また多段トレイ６２ａには用紙カセット２の装着および用紙カセット６３ａを検出するためのカセット検出部７０が設けられている。カセット検出部７０は、発光素子と受光素子から構成される光検出器７１と、支点７２を中心に回転可能な２つのレバー７３、７４とから構成される。
【００４２】
レバー７３は、第１の実施の形態のレバー４６と同様の構成となっている。即ち、レバー７３は上端部７３ａと側端部７３ｂを有し、図示しないトーションスプリングにより常に図６における時計回り方向に付勢され、ストッパ７５により位置を規制されている。そして上端部７３ａは用紙カセット２が所定の位置に装着されていないときに用紙カセット２の装着位置に突出し、側端部７３ｂは光検出器７１の発光素子と受光素子との間を過ぎることができるようになっている。
【００４３】
レバー７４は、レバー７３と同様の形状であるが、レバー７３に対して上下逆向きに配置されている。レバー７４も上端部７４ａと側端部７４ｂを有し、図示しないトーションスプリングにより常に図６における反時計回り方向に付勢され、ストッパ７６により位置を規制されている。そして上端部７４ａは、多段トレイ６２ａの用紙カセット６３ａが所定の位置に装着されていないときに用紙カセット６３ａの装着位置に突出し、側端部７４ｂは光検出器７１の発光素子と受光素子との間を過ぎることができるようになっている。レバー７４はレバー７３とは独立して動作する。
【００４４】
図７は第２の実施の形態の要部のブロック図である。図７において、制御部８１は画像記録装置６１の動作全体を制御するもので、ＣＰＵとその周辺回路により構成される。制御部８１には給紙駆動部８２および光検出器７１が接続されている。給紙駆動部８２は、図示しないモータを介して給紙ローラ３または多段トレイ６２ａの給紙ローラ６４ａの駆動を制御する。
【００４５】
次に第２の実施の形態の動作をさらに図８を用いて説明する。図８は第２の実施の形態の動作を示す概略構成図である。画像記録装置６１内に用紙カセット２が所定の位置に装着されている場合、即ち、図６に示すように、用紙カセット２が最も奥側まで挿入され、用紙搬送路２７が下側の多段トレイ６２ａから給紙される用紙９を搬送可能になっている位置に装着されている場合、カセット検出部７０のレバー７３は用紙カセット２の凸部４０に押され、図６に実線で示す状態になる。
【００４６】
この状態ではレバー７３の側端部７３ｂは光検出器７１の発光素子からの光を遮断せず、光検出器７１から制御部８１にオフ信号が出力される。制御部８１ではこの信号により用紙カセット２が所定の位置に装着されていると判断し、用紙カセット２からの給紙を行うことができる。
【００４７】
また多段トレイ６２ａに用紙カセット６３ａが所定の位置に装着されている場合、即ち、図６に示すように、用紙カセット６３ａが最も奥側まで挿入され、用紙搬送路６９ａが下側に装着される多段トレイ（図示しない）から給紙される用紙を搬送可能になっている位置に装着されている場合、カセット検出器７０のレバー７４は用紙カセット６３ａの凸部８０に押され、図６に実線で示す状態になる。
【００４８】
この状態ではレバー７４の側端部７４ｂは光検出器７１の発光素子からの光を遮断せず、光検出器７１から制御部８１にオフ信号が出力される。制御８１ではこの信号により用紙カセット６３ａが所定の位置に装着されていると判断し、用紙カセット６３ａからの給紙を行うことができる。
【００４９】
次に用紙カセット２に用紙９を補充する等のために、用紙カセット２が、図８に示すように、所定の位置から抜き出された場合、カセット検出器７０のレバー７３は、図８に実線で示すように、用紙カセット２の凸部４０に押されていない状態になる。この状態では、レバー７３の側端部７３ｂは光検出器７１の発光素子からの光を遮断し、光検出器７１から制御部８１にオン信号が出力される。制御部８１ではこのオン信号により用紙カセット２が所定の位置に装着されていないと判断し、給紙駆動部８２へ駆動信号を出力しない。
【００５０】
抜き出した用紙カセット２に用紙９をセットして画像記録装置６１に用紙カセット２を挿入し、さらに奥側へ押し込むと、用紙カセット２の凸部４０が、図８における実線の位置にあるレバー７３の上端部７３ａを押し倒す。これによりレバー７３は反時計回り方向に回転し、図６に実線で示す状態になる。これによりレバー７３の側端部７３ｂは光検出器７１の発光素子からの光を遮断せず、光検出器７１から制御部８１にオフ信号が出力される。制御部８１ではこの信号により用紙カセット２が所定の位置に装着されていると判断する。
【００５１】
次に用紙カセット６３ａに用紙９を補充する等のために、用紙カセット６３ａが、図８に示すように、所定の位置から抜き出された場合、カセット検出器７０のレバー７４は、図８に実線で示すように、用紙カセット６３ａの凸部８０に押されていない状態になる。この状態では、レバー７４の側端部７４ｂは光検出器７１の発光素子からの光を遮断し、光検出器７１から制御部８１にオン信号が出力される。制御部８１ではこのオン信号により用紙カセット６３ａが所定の位置に装着されていないと判断し、給紙駆動部８２へ駆動信号を出力しない。
【００５２】
抜き出した用紙カセット６３ａに用紙９をセットして多段トレイ６２ａに用紙カセット６３ａを挿入し、さらに奥側へ押し込むと、用紙カセット６３ａの凸部８０が、図８における実線の位置にあるレバー７４の上端部７４ａを押し倒す。これによりレバー７４は時計回り方向に回転し、図６に実線で示す状態になる。これによりレバー７４の側端部７４ｂは光検出器７１の発光素子からの光を遮断せず、光検出器７１から制御部８１にオフ信号が出力される。制御部８１ではこの信号により用紙カセット６３ａが所定の位置に装着されていると判断する。
【００５３】
用紙カセット２および用紙カセット６３ａが所定の位置に正しく装着されたことが検出されると、制御部８１は給紙駆動部８２への出力の制限が解除する。多段トレイ６２ａに収納する用紙９への記録動作の起動が制御部８１からかかると、多段トレイ６２ａの給紙ローラ６４ａが駆動され、用紙カセット６３ａから用紙９が繰出され、搬送ローラ６５ａにより用紙カセット２内の用紙搬送路２７を搬送され、画像形成ユニット５方向へ送られる。
【００５４】
以上のように、用紙カセット２および用紙カセット６３ａのうちのいずれかが所定の位置に装着されていない場合、光検出器７１からの出力がオン信号になるので、制御部８１は給紙駆動部８２への出力を制限する。そして両方の用紙カセット２、６３ａがそれぞれ所定の位置に装着された場合に制御部８１は給紙駆動部８２への出力を許可し、記録動作が起動される。
【００５５】
上述の例では多段トレイ６２ａを１つだけ設けた場合を説明したが、これに限らず多段トレイを複数個設けた場合でも、１つおきに多段トレイにカセット検出部を設けることにより、カセット検出部を設けた多段トレイとその直上の多段トレイの用紙カセットが所定の位置に装着されたか否かを検出でき、いずれの用紙カセットも所定の位置に装着された場合にのみ給紙動作を行うようにすることができる。
【００５６】
以上のように第２の実施の形態によれば、第１の実施の形態と同様の効果を奏するとともに、１つのカセット検出部で２つの用紙カセットの所定の位置への装着の有無を検出できるので、カセット検出部の設置箇所を少なくすることができる効果がある。
【００５７】
次に第３の実施の形態を説明する。図９は第３の実施の形態の画像記録装置を示す概略構成図である。図９において、画像記録装置９１には、上記実施の形態と同様に、用紙カセット２、給紙ローラ３、搬送ローラ４、画像形成ユニット５、定着ユニット６、排出ローラ７および用紙搬送路８が設けられている。そして用紙カセット２には用紙搬送路２７および凸部４０が形成されている。
【００５８】
画像記録装置９１の下部には用紙カセット装着部としての多段トレイ９２ａが装着されている。なおこの多段トレイ９２ａの下部にもさらに多段トレイを追加装着することが可能である。多段トレイ９２ａには、用紙９を収容する用紙カセット９３ａ、用紙９を繰出す給紙ローラ９４ａ、繰出された用紙９を搬送する搬送ローラ９５ａが設けられている。
【００５９】
用紙カセット９３ａは多段トレイ９２ａに対して着脱可能であり、用紙カセット９３ａには繰出される用紙９を１枚に分離するためのセパレータ９６ａと、用紙９が積載される用紙積載台９７ａと、用紙積載台９７ａを下側から押圧するスプリング９８ａ、下部に多段トレイが装着された場合にこの多段トレイから給紙される用紙を上部へ搬送するための用紙搬送路９９ａ、および該用紙カセット９３ａの所定の位置への装着を検出するための凸部１００が形成されている。
【００６０】
また多段トレイ９２ａには用紙カセット２の装着および用紙カセット９３ａを検出するためのカセット検出部１１０が設けられている。カセット検出部１１０は、発光素子と受光素子から構成される光検出器１１１と、支点１１２を中心に回転可能で、多段トレイ９２ａに形成された長溝１１３に支点１１２が入り込むことでこの長溝１１３に沿って移動可能なレバー１１４とを有する。
【００６１】
レバー１１４は上端部１１４ａと下端部１１４ｂを有し、上端部１１４ａは用紙カセット２が所定の位置に装着されていないときに用紙カセット２の装着位置に突出している。また下端部１１４ｂは用紙カセット９３ａが所定の位置に装着されていないときに用紙カセット９３ａの装着位置に突出している。レバー１１４の上端部１１４ａ側はスプリング１１５により図における右方向（用紙カセット２を抜き取る方向）に付勢され、下端部１１４も同様にスプリング１１６により右方向に付勢されている。
【００６２】
用紙カセット２および用紙カセット９３ａが装着されていない状態においては、レバー１１４は図９に示す位置に保持されている。この状態からレバー１１４はスプリング１１５、１１６の付勢力に抗して左方向に移動可能である。レバー１１４にはまた凸部１１４ｃが形成されており、レバー１１４が左方向に移動すると、この凸部１１４ｃが光検出器１１１の発光素子からの光を遮光し、用紙カセットの所定の位置への装着を検出できるようになっている。
【００６３】
図１０は第３の実施の形態の要部のブロック図である。図１０において、制御部１２１は画像記録装置９１の動作全体を制御するもので、ＣＰＵとその周辺回路により構成される。制御部１２１には給紙駆動部１２２および光検出器１１１が接続されている。給紙駆動部１２２は、図示しないモータを介して給紙ローラ３または多段トレイ９２ａの給紙ローラ９４ａの駆動を制御する。
【００６４】
光検出器１１１は受光素子の受光出力を制御部１２１へ送る。制御部１２１では、受光素子が発光素子からの光を受光しないときの出力信号をオン信号とし、受光素子が発光素子からの光を受光するときの出力信号をオフ信号とする。
【００６５】
次に第３の実施の形態の動作をさらに図１１、図１２を用いて説明する。図１１、図１２は第３の実施の形態の動作を示す概略構成図である。画像記録装置９１内の所定の位置に用紙カセット２が装着されていないで、多段トレイ９２ａの所定の位置に用紙カセット９３ａが装着されていない場合、即ち、図９に示す状態においては、レバー１１４の凸部１１４ｃは光検出器１１１の発光素子からの光を遮断せず、光検出器１１１から制御部１２１にオフ信号が出力される。制御部１２１ではこの信号により用紙カセット２および用紙カセット９３ａが所定の位置に装着されていないと判断し、給紙駆動部１２２へ駆動信号を出力しない。
【００６６】
抜き出した用紙カセット２に用紙９をセットして画像記録装置９１に用紙カセット２を挿入し、さらに奥側へ押し込むと、用紙カセット２の凸部４０が、図１１に示すように、レバー１１４の上端部１１４ａを押し倒す。これによりレバー１１４は反時計回り方向に回転し、図１１に示す状態になる。しかしながらこの状態では、レバー１１４の凸部１１４ｃは光検出器１１１の発光素子からの光を遮断せず、光検出器１１１から制御部１２１にオフ信号が出力される。制御部１２１ではこの信号では用紙カセット２が所定の位置に装着されていないと判断する。
【００６７】
この状態で、次に抜き出した用紙カセット９３ａに用紙９をセットして多段トレイ９２ａに用紙カセット９３ａを挿入し、さらに奥側へ押し込むと、用紙カセット９３ａの凸部１００が、図１１に示すレバー１１４の下端部１１４ｂを挿入方向に押す。これによりレバー１１４は長溝１１３に沿って奥側方向に移動し、図１２に示す状態になる。これによりレバー１１４の凸部１１４ｃは光検出器１１１の発光素子からの光を遮断し、光検出器１１１から制御部１２１にオン信号が出力される。制御部１２１ではこの信号により用紙カセット２および用紙カセット６３ａが所定の位置に装着されていると判断する。
【００６８】
多段トレイ９２ａの用紙カセット９３ａを先に所定の位置まで装着し、その後、上段の用紙カセット２を所定の位置まで装着する場合も、光検出器１１１の動作は同様である。即ち、多段トレイ９２ａの用紙カセット９３ａを所定の位置まで装着した時点では光検出器１１１はオフ信号を出力し、その後用紙カセット２が所定の位置に装着された時点で光検出器１１１は制御部１２１にオン信号を出力する。
【００６９】
両方の用紙カセット２、９３ａが正しく所定の位置に装着されたことが検出されると、給紙駆動部１２２への出力が許可され、記録動作の起動がかかると、制御部１２１は多段トレイ９２ａの給紙ローラ９４ａを駆動し、用紙カセット９３ａから用紙９を繰出し、搬送ローラ９５ａにより用紙カセット２の用紙搬送路２７を搬送して画像形成ユニット５方向へ送る。
【００７０】
以上のように用紙カセット２および用紙カセット９３ａのうちのいずれかが所定の位置に装着されていない場合、光検出器１１１からの出力がオフ信号になるので、制御部１２１は給紙駆動部１２２への出力を制限する。そして両方の用紙カセット２、９３ａがそれぞれ所定の位置に装着された場合に制御部１２１は給紙駆動部１２２への出力を許可し、記録動作が起動される。
【００７１】
上述の例では多段トレイ９２ａを１つだけ設けた場合を説明したが、これに限らず多段トレイを複数個設けた場合でも、１つおきに多段トレイにカセット検出部を設けることにより、カセット検出部を設けた多段トレイとその直上の多段トレイの用紙カセットが所定の位置に装着されたか否かを検出でき、いずれの用紙カセットも所定の位置に装着された場合にのみ給紙動作を行うようにすることができる。
【００７２】
以上のように第３の実施の形態によれば、第２の実施の形態と同様の効果を奏するとともに、カセット検出部におけるレバーの数を少なくすることができ、構造を簡単にすることができる効果がある。
【００７３】
次に第４の実施の形態を説明する。図１３は第４の実施の形態の画像記録装置を示す概略構成図、図１４は第４の実施の形態の用紙カセットを示す側面図、図１５は第４の実施の形態の用紙カセットを示す平面図、図１６は第４の実施の形態の多段トレイを示す側面図、図１７は第４の実施の形態の多段トレイを示す平面図である。
【００７４】
図１３において、画像記録装置１３１には、上記実施の形態と同様に、用紙カセット２、給紙ローラ３、搬送ローラ４、画像形成ユニット５、定着ユニット６、排出ローラ７および用紙搬送路８が設けられている。また画像記録装置１３１には、用紙カセットの所定の位置への装着を検出するための反射型の光センサ１３２が設けられている。
【００７５】
また用紙カセット２が装着されるカセット装着部１３３の底部には、透孔１３４（斜線部で示す）が形成され、その上部には非反射板１３５が水平方向にスライド可能に設けられている。非反射板１３５は略Ｌ字形に形成され、水平部分の上部が光を反射しない材質または塗装で形成されている。非反射板１３５はスプリング１３６により、用紙カセット２が所定の位置に装着されていない場合は、透孔１３４を覆う位置に保持されており、用紙カセット２が装着されると左方向に移動する。透孔１３４は光センサ１３２の真下に形成されている。
【００７６】
図１３、図１４、図１５において、用紙カセット２の下部には、透孔１３７（斜線部で示す）が形成され、その上部には反射板１３８が水平方向にスライド可能に設けられている。反射板１３８は略Ｌ字形に形成され、水平部分の上部が光を良好に反射する材質または塗装で形成されている。反射板１３８はスプリング１３９の押圧力により、外部から付勢力が加えられない場合は透孔１３４を覆う位置に保持されている。反射板１３８の下端部１３８ａは傾斜面として形成されている。透孔１３７は、用紙カセット２が所定の位置に装着された状態で、透孔１３４の真上に位置するようになっている。また透孔１３７は用紙が積載されない位置に形成されている。
【００７７】
画像記録装置１３１の下部には用紙カセット装着部としての多段トレイ１４２ａが装着される。そしてこの多段トレイ１４２ａの下部にも多段トレイ１４２ｂが装着され、さらにこの多段トレイ１４２ｂの下部にも多段トレイが装着可能になっている。
【００７８】
図１３、図１６、図１７において、多段トレイ１４２ａには、用紙９を収容する用紙カセット１４３ａ、用紙９を繰出す給紙ローラ１４４ａ、繰出された用紙９を搬送する搬送ローラ１４５ａが設けられ、また上部に突起部１５０ａが形成されている。突起部１５０ａの上部は傾斜面に形成され、突起部１５０ａの位置は、用紙カセット２を装着した場合における反射板１３８の下端部１３８ａの真下になるようになっている。
【００７９】
また多段トレイ１４２ａの用紙カセット１４３ａの装着位置には、用紙カセット２のカセット装着部１３３と同様に、透孔１３４（斜線部で示す）が形成され、その上部には非反射板１３５が水平方向にスライド可能に設けられている。非反射板１３５は略Ｌ字形に形成され、水平部分の上部が光を反射しない材質または塗装で形成されている。非反射板１３５はスプリング１３６により、用紙カセット１４３ａが所定の位置に装着されていない場合は、透孔１３４を覆う位置に保持されており、用紙カセット１４３ａが装着されると左方向に移動する。透孔１３４は光センサ１３２の真下に形成されている。
【００８０】
用紙カセット１４３ａは多段トレイ１４２ａに対して着脱可能であり、用紙カセット１４３ａには繰出される用紙９を１枚に分離するためのセパレータ１４６ａと、用紙９が積載される用紙積載台１４７ａと、用紙積載台１４７ａを下側から押圧するスプリング１４８ａ、下部に多段トレイが装着された場合にこの多段トレイから給紙される用紙を上部へ搬送するための用紙搬送路１４９ａが形成されている。
【００８１】
多段トレイ１４２ａの下部に装着される多段トレイ１４２ｂも同様の構成を有している。（但し、多段トレイ１４２ａでａで示す要素を多段トレイ１４２ｂではｂで示す）さらに多段トレイ１４２ｂの下部に装着される多段トレイも同様の構成を有している。
【００８２】
図１８は第４の実施の形態の要部のブロック図である。図１８において、制御部１５１は画像記録装置１３１の動作全体を制御するもので、ＣＰＵとその周辺回路により構成される。制御部１５１には給紙駆動部１５２および光センサ１３２が接続されている。給紙駆動部１５２は、図示しないモータを介して給紙ローラ３または多段トレイ１４２ａ、１４２ｂの給紙ローラ１４４ａ、１４４ｂの駆動を制御する。
【００８３】
光センサ１３２は、反射光を受光する受光素子の受光出力を制御部１５１へ送る。制御部１５１では、受光素子が反射光を受光しないときの出力信号をオフ信号とし、受光素子が反射光を受光するときの出力信号をオン信号とする。
【００８４】
次に第４の実施の形態をさらに図１９乃至図２６を用いて説明する。図１９乃至図２６は第４の実施の形態の動作を示す概略構成図である。まず画像記録装置１３１に多段トレイ１４２ａを装着する動作を図１９乃至図２１を用いて説明する。
【００８５】
画像記録装置１３１の所定の位置に用紙カセット２が装着されている状態において、図１９に示すように、画像記録装置１３１を多段トレイ１４２ａに対して上部から矢印ａ方向に接近させ、多段トレイ１４２ａの突起部１５０ａが画像形成装置１３１のカセット装着部１３３に入り込ませると、突起部１５０ａ上端の傾斜部が用紙カセット２に設けられた反射板１３８の下端部を押す。これにより反射板１３８はスプリング１３９の押圧力に抗して図１９に示す矢印ｂ方向に移動する。
【００８６】
なおも画像記録装置１３１を多段トレイ１４２ａに近づけると、図２０に示すように、反射板１３８はさらに移動し、画像記録装置１３１と多段トレイ１４２ａが密着すると、図２１に示すように、反射板１３８は透孔１３７の上部から退避する。これで用紙カセット２に孔が開いた状態になる。
【００８７】
次に用紙カセット２を装着する動作を図２２乃至図２４を用いて説明する。この場合、画像記録装置１３１には多段トレイ１４２ａが装着されているものとする。図２２において、画像記録装置１３１に多段トレイ１４２ａが装着されている状態においては、カセット装着部１３３に多段トレイ１４２ａの突起部１５０ａが入り込んでいる。この状態で用紙カセット２を矢印ｃ方向に挿入すると、図２３に示すように、用紙カセット２の後端部２ａが非反射板１３５に当接するとともに、反射板１３８が多段トレイ１４２ａの突起部１５０ａに当接する。
【００８８】
なおも用紙カセット２を挿入すると、図２４に示すように、非反射板１３５は用紙カセット２の後端部２ａに押されて透孔１３４の上部から退避し、反射板１３８は突起部１５０ａに移動を阻止されて透孔１３７の上部から退避する。これにより図２４に示すように、画像記録装置１３１の底部に孔が開くとともに、用紙カセット２の底部にも孔が開いた状態となる。
【００８９】
多段トレイ１４２ａの下部に多段トレイ１４２ｂを装着すると、上述の説明のように、多段トレイ１４２ａに装着されている用紙カセット１４３ａの反射板１３８が移動し、用紙カセット１４３ａの透孔１３７が開いた状態になる。また多段トレイ１４２ａに用紙カセット１４３ａを装着すると、多段トレイ１４２ａの非反射板１３５が移動し、多段トレイ１４２ａの透孔１３４が開いた状態になる。
【００９０】
以下同様に多段トレイ１４２の装着と用紙カセット２および１４３の装着により、図２５に示すように、すべての透孔１３４および透孔１３７が開いた状態になる。図２５は３つの多段トレイ１４２ａ、１４２ｂ、１４２ｃが装着されている状態を示すが、最下段の多段トレイ１４２ｃの下部には多段トレイは装着されていないので、この多段トレイ１４２ｃの反射板１３８は多段トレイ１４２ｃの透孔１３７を塞いだ位置にある。
【００９１】
このとき画像記録装置１３１に設けられた光センサ１３２によって発せられた光は、図２５に二点鎖線で示すように、最下段の多段トレイ１４２ｃの反射板１３８に反射され、光センサ１３２に受光される。受光信号は制御部１５１へ送られ、制御部１５１では、光センサ１３２からの信号により、全ての用紙カセットが所定の位置に装着されていると判断し、記録動作の起動がかかると、給紙駆動部１５２を駆動する。
【００９２】
用紙を補充する等のために、例えば用紙カセット２を引き出すと、図２６に示すように、画像記録装置１３１内の非反射板１３５がスプリング１３６の押圧力により透孔１３４の上部まで移動する。このとき光センサ１３２によって発せられた光は、非反射板１３５に当たるが、非反射板１３５からは反射されないので、光センサ１３２には受光されない。光センサ１３２から受光しない旨の信号が制御部１５１へ送られ、制御部１５１では、この信号により、いずれかの用紙カセットが所定の位置に装着されていないと判断し、給紙駆動をしない。
【００９３】
いずれかの用紙カセット２および１４３が所定の位置まで十分に装着されていない場合も、上記と同様に、十分に装着されていない用紙カセットに対応する非反射板１３５によって透孔１３４が塞がれるので反射光が光センサ１３２に受光されないので、この場合も給紙動作を行わない。
【００９４】
用紙カセット２に用紙９をセットし、再びカセット装着部１３３に装着すると、図２２乃至図２４で説明したように、非反射板１３５が用紙カセット２によって押され、透孔１３４が開けられる。また用紙カセット２に設けられた反射板１３８は多段トレイ１４２ａの突起部１５０ａにより移動され、透孔１３７が開けられる。この結果、光センサ１３２の光は最下段の多段トレイ１４２ｃの反射板１３８に反射され、制御部１５１で光センサ１３２からの信号により、全ての用紙カセットが所定の位置に装着されていると判断される。
【００９５】
ここで最下段の多段トレイ１４２ｃから用紙９を繰出す場合には、制御部１５１が給紙駆動部１５２を駆動して多段トレイ１４２ｃ内の給紙ローラ１４４ｃを回転させる。これにより用紙カセット１４３ｃから用紙９を繰出し、搬送ローラ１４５ｃにより繰出された用紙９をその上部の多段トレイ１４２ｂの用紙搬送路１４９ｂへ搬送し、さらに搬送ローラ１４５ｂにより用紙９をその上部の多段トレイ１４２ａの用紙搬送路１４９ａへ搬送し、そして用紙カセット２の用紙搬送路２７を搬送して画像形成ユニット５方向へ送る。
【００９６】
以上のように第４の実施の形態では、全ての用紙カセットが所定の位置に装着されている場合には、最下段の多段トレイの反射板からの反射光が光センサ１３２により受光され、いずれかの用紙カセットが引き出されている場合には反射光は光センサ３２に受光されないようにしたので、いずれかの用紙カセットが引き出されている場合、即ち、多段トレイの用紙搬送路にずれがある場合は、給紙を行なわないようにでき、用紙のジャムの発生および用紙の不送りを防止することができる。また多段トレイが正しく装着されていない場合も給紙動作を行わないようにしたので、多段トレイの不装着による用紙の搬送上の不具合を防止することができる。
【００９７】
さらに第４の実施の形態では、１つの光センサ１３２で全ての用紙カセットの所定位置への装着を検出するようにしたので、検出のための制御構成が簡単で、設計が容易であるとともに、安価な制御構成とすることができる。
【００９８】
本発明は、印刷装置、複写機、ファクシミリ装置等の画像記録装置で、用紙を供給するための用紙カセットを複数装着可能な画像記録装置に適用可能である。
【図面の簡単な説明】
【００９９】
【図１】第１実施の形態による画像記録装置を示す概略構成図である。
【図２】カセット検出部を示す斜視図である。
【図３】用紙カセットおよび多段トレイを示す平面図である。
【図４】第１の実施の形態の要部のブロック図である。
【図５】第１の実施の形態の動作を示す概略構成図である。
【図６】第２の実施の形態の画像記録装置を示す概略構成図である。
【図７】第２の実施の形態の要部のブロック図である。
【図８】第２の実施の形態の動作を示す概略構成図である。
【図９】第３の実施の形態の画像記録装置を示す概略構成図である。
【図１０】第３の実施の形態の要部のブロック図である。
【図１１】第３の実施の形態の動作を示す概略構成図である。
【図１２】第３の実施の形態の動作を示す概略構成図である。
【図１３】第４の実施の形態の画像記録装置を示す概略構成図である。
【図１４】第４の実施の形態の用紙カセットを示す側面図である。
【図１５】第４の実施の形態の用紙カセットを示す平面図である。
【図１６】第４の実施の形態の多段トレイを示す側面図である。
【図１７】第４の実施の形態の多段トレイを示す平面図である。
【図１８】第４の実施の形態の要部のブロック図である。
【図１９】第４の実施の形態の動作を示す概略構成図である。
【図２０】第４の実施の形態の動作を示す概略構成図である。
【図２１】第４の実施の形態の動作を示す概略構成図である。
【図２２】第４の実施の形態の動作を示す概略構成図である。
【図２３】第４の実施の形態の動作を示す概略構成図である。
【図２４】第４の実施の形態の動作を示す概略構成図である。
【図２５】第４の実施の形態の動作を示す概略構成図である。
【図２６】第４の実施の形態の動作を示す概略構成図である。
【図２７】従来の画像記録装置の概略構成を示す概略構成図である。
【図２８】従来の多段トレイを備えた画像記録装置を示す概略側面図である。
【符号の説明】
【０１００】
２    用紙カセット
３    給紙ローラ
９    用紙
２７    用紙搬送路
３２ａ  多段トレイ
４０    凸部
４１    カセット検出部
４４    光検出器
４６    レバー
【図１】
2006124058.tif 000003
【図２】
2006124058.tif 000004
【図３】
2006124058.tif 000005
【図４】
2006124058.tif 000006
【図５】
2006124058.tif 000007
【図６】
2006124058.tif 000008
【図７】
2006124058.tif 000009
【図８】
2006124058.tif 000010
【図９】
2006124058.tif 000011
【図１０】
2006124058.tif 000012
【図１１】
2006124058.tif 000013
【図１２】
2006124058.tif 000014
【図１３】
2006124058.tif 000015
【図１４】
2006124058.tif 000016
【図１５】
2006124058.tif 000017
【図１６】
2006124058.tif 000018
【図１７】
2006124058.tif 000019
【図１８】
2006124058.tif 000020
【図１９】
2006124058.tif 000021
【図２０】
2006124058.tif 000022
【図２１】
2006124058.tif 000023
【図２２】
2006124058.tif 000024
【図２３】
2006124058.tif 000025
【図２４】
2006124058.tif 000026
【図２５】
2006124058.tif 000027
【図２６】
2006124058.tif 000028
【図２７】
2006124058.tif 000029
【図２８】
2006124058.tif 000030